(57)【要約】【課題】屋根上から屋根パネルの固定が行えるようにして施工効率を向上できる屋根パネルおよび屋根構造を提供する。【解決手段】この屋根パネル１においては、屋根材２２が載せられる上野地板１１と、母屋３側に固定される下野地板１２とが互いにずれて設けられており、上記下野地板１２には上記上野地板１１からはみ出た張出部１２Ａが形成されている。上記上野地板１１と上記下野地板１２は互いに離間して設けられており、上記上野地板１１の下側には、軒先側から棟側に通じる通気層１０１が形成され、上記通気層１０１の下側には、熱の移動を抑制する断熱層１０２が形成されている。【選択図】図１
2018091103.tif 000002
【特許請求の範囲】
【請求項１】
屋根材が載せられる上野地板と、母屋側に固定される下野地板とが互いにずれて設けられており、上記下野地板の一部が上記上野地板の縁からはみ出ていることを特徴とする屋根パネル。
【請求項２】
請求項１に記載の屋根パネルにおいて、上記上野地板と上記下野地板は互いに離間して設けられており、この離間空間には軒先側から棟側に通じる通気層と熱の移動を抑制する断熱層とが形成されていることを特徴とする屋根パネル。
【請求項３】
請求項２に記載の屋根パネルにおいて、上記上野地板と上記下野地板との間には、上記通気層と上記断熱層を仕切る中間板が設けられていることを特徴とする屋根パネル。
【請求項４】
請求項３に記載の屋根パネルにおいて、上記中間板と上記上野地板との間には、上記母屋と交差する方向に上垂木部材が設けられており、上記中間板と上記下野地板との間には、上記上垂木部材と重なるように下垂木部材が設けられていることを特徴とする屋根パネル。
【請求項５】
請求項２に記載の屋根パネルにおいて、上記断熱層上に垂木部材が設けられており、この垂木部材上に上記上野地板が設けられていることを特徴とする屋根パネル。
【請求項６】
請求項１〜請求項５のいずれか１項に記載の屋根パネルが建物の母屋上に固定された屋根構造であって、上記屋根パネルにおける上記下野地板が、上記はみ出ている箇所の上側から入れられた締結部材によって、上記母屋側に固定されたことを特徴とする屋根構造。
【請求項７】
請求項６に記載の屋根構造において、上記母屋に取り付けられた取付部材に桟木が固定されており、この桟木に上記下野地板が留め付けられていることを特徴とする屋根構造。
【請求項８】
請求項７に記載の屋根構造において、上記取付部材と同一の取付部材が別途用いられており、この取付部材に小屋裏側から入れられて上記下野地板に達した締結部材によって上記屋根パネルが上記取付部材に留め付けられていることを特徴とする屋根構造。
【発明の詳細な説明】
【技術分野】
【０００１】
この発明は、屋根パネルおよびこの屋根パネルを用いた屋根構造に関する。
【背景技術】
【０００２】
図９は従来の屋根構造２００の一部を示した概略の斜視図である。この屋根構造２００においては、母屋２０１、２０１上に、これと交差するように複数の垂木２０２が設けられており、上記垂木２０２上に野地板２０３がビス等により固定される。上記垂木２０２の側面には係止金具２０４が取り付けられており、この係止金具２０４によって、上記垂木２０２が上記母屋２０１に係止される。また、上記野地板２０３上には、ルーフィング２０５、屋根材２０６、軒先水切り２０７等が設けられる。
【０００３】
また、特許文献１には、母屋の側面部に取り付けられるベース部品と、軸部の先端側に屋根パネルの垂木に係合される鉤部が設けられた鉤形部品と、屋根パネルの垂木を母屋側に引き寄せ、垂木を母屋に固定する引寄せ固定機構とが備えられ、鉤形部品が、垂木と母屋との交差角度に応じて、軸部回りで回転できるようにベース部品に保持されている構造が開示されている。
【先行技術文献】
【特許文献】
【０００４】
【特許文献１】特開２００６−２０７３４８号公報
【発明の概要】
【発明が解決しようとする課題】
【０００５】
しかしながら、上記従来の屋根構造２００は、屋根がパネル化されていない構造であるため、施工効率が低く、また、上記特許文献１に記載の構造では、屋根パネルの固定を狭くて障害が多い小屋裏側から行う必要があった。
【０００６】
この発明は、上記の事情に鑑み、屋根上から屋根パネルの固定が行えるようにして施工効率を向上できる屋根パネルおよび屋根構造を提供することを課題とする。
【課題を解決するための手段】
【０００７】
この発明の屋根パネルは、上記の課題を解決するために、屋根材が載せられる上野地板と、母屋側に固定される下野地板とが互いにずれて設けられており、上記下野地板の一部が上記上野地板の縁からはみ出ていることを特徴とする。
【０００８】
上記の構成であれば、上記下野地板における上記のはみ出す部位において、上方から、ビス等を打ち込むことが可能となる。このように、上記ビス等を上記下野地板に上側から打ち込むことができるので、当該屋根パネルを屋根に効率的に取り付けることが可能になる。
【０００９】
上記上野地板と上記下野地板は互いに離間して設けられており、この離間空間には軒先側から棟側に通じる通気層と熱の移動を抑制する断熱層とが形成されていてもよい。これによれば、屋根を屋根パネル構成としつつ省エネルギー化も図ることができる。
【００１０】
上記上野地板と上記下野地板との間には、上記通気層と上記断熱層を仕切る中間板が設けられていてもよい。上記中間板により、上記仕切りが的確に行えるとともに、パネル強度を高めることが可能になる。
【００１１】
上記中間板と上記上野地板との間には、上記母屋と交差する方向に上垂木部材が設けられており、上記中間板と上記下野地板との間には、上記上垂木部材と重なるように下垂木部材が設けられていてもよい。上記上垂木部材および上記下垂木部材により、パネル強度を高めることが可能になる。
【００１２】
或いは、上記断熱層上に垂木部材が設けられており、この垂木部材上に上記上野地板が設けられていてもよい。これによれば、中間板を備えず、単層で垂木部材を備えることになるので、屋根パネルの構造簡素化等が図れる。
【００１３】
この発明の屋根構造は、上記の屋根パネルを建物の母屋上に固定した屋根構造であって、上記屋根パネルにおける上記下野地板が、上記はみ出ている箇所の上側から入れられた締結部材によって、上記母屋側に固定されたことを特徴とする。
【００１４】
このような構造であれば、上記下野地板の上記はみ出ている箇所において、上方から締結部材を打ち込むことで、当該屋根パネルを屋根上から容易に取り付けることができる。
【００１５】
上記母屋に取り付けられた取付部材に桟木が固定されており、この桟木に上記下野地板が留め付けられていてもよい。これによれば、上記取付部材および桟木を用いて簡単に上記屋根パネルを母屋上に固定することができる。
【００１６】
上記取付部材と同一の取付部材が別途用いられており、この取付部材に小屋裏側から入れられて上記下野地板に達した締結部材によって上記屋根パネルが上記取付部材に留め付けられていてもよい。これによれば、当該屋根パネルを屋根上から取り付けることが困難な箇所においては、上記取付部材と同一の取付部材を用いて低コスト化等を図ることができる。
【発明の効果】
【００１７】
本発明であれば、屋根パネルの固定を屋根上から行うことができ、施工効率の向上が図れるという効果を奏する。
【図面の簡単な説明】
【００１８】
【図１】本発明の実施形態に係る屋根パネルの一部を示した概略の斜視図である。
【図２】図１の屋根パネルを示した図であって、同図（Ａ）は平面図、同図（Ｂ）は側面図、同図（Ｃ）は正面図である。
【図３】図１の屋根パネルを母屋に固定する取付金物を示した図であって、同図（Ａ）は正面図、同図（Ｂ）は側面図、同図（Ｃ）は平面図である。
【図４】本発明の実施形態に係る屋根構造の一部を示した概略の説明図である。
【図５】本発明の実施形態に係る屋根構造の他の一部を示した概略の説明図である。
【図６】本発明の実施形態に係る屋根構造の他の一部を示した概略の説明図である。
【図７】本発明の実施形態に係る屋根構造の他の一部を示した概略の説明図である。
【図８】図７の屋根構造に用いる取付金物を示した図であって、同図（Ａ）は底面図、同図（Ｂ）は正面図、同図（Ｃ）は側面図である。
【図９】従来の屋根構造の一部を示した概略の斜視図である。
【発明を実施するための形態】
【００１９】
以下、この発明の実施の形態を添付図面に基づいて説明する。
図１および図２に示すように、この実施形態の屋根パネル１は、上野地板１１と下野地板１２とが互いにずれて設けられており、上記下野地板１２の上部側は、上記上野地板１１の上縁から上側にはみ出している。このはみ出した部位を、以下、張出部１２Ａとする。また、上記下野地板１２の一方の横側が、上記上野地板１１の横縁から横側にはみ出しており、他方の横側は上記上野地板１１の横縁において凹んで位置している。
【００２０】
上記上野地板１１および上記下野地板１２は、例えば、合板等の木質系材料からなる。上記上野地板１１上には、現場施工において、防水層(ルーフィング)２１、瓦等の屋根材２２および軒先水切り２３等が設けられる。また、上記下野地板１２は、現場施工によって母屋３側に固定される。図１において、上記屋根材２２等の二点鎖線で示す部材は、この実施形態における上記屋根パネル１を構成するものではなく、当該屋根パネル１上に現場施工において設けられる部分を示している。
【００２１】
上記上野地板１１と上記下野地板１２は、上下方向に互いに離間して設けられ、上記上野地板１１の下側には、軒先側から棟側に通じる通気層１０１が形成されており、上記通気層１０１の下側には、熱の移動を抑制する断熱層１０２が形成されている。上記断熱層１０２は、例えば、グラスウール等からなる。
【００２２】
そして、上記上野地板１１と上記下野地板１２との間には、上記通気層１０１と上記断熱層１０２を仕切る中間板１３が設けられている。上記中間板１３は、上記上野地板１１と横幅寸法が同じで互いにはみ出さないように重なっている。また、上記中間板１３は、例えば、合板等の木質系材料からなっている。なお、上記屋根パネル１は、上記断熱層１０２の上面や中間板１３の上面等に遮熱シートを備えることができる。この遮熱シートとしては、輻射熱の９０パーセント以上を反射するものを用いるのが望ましい。
【００２３】
さらに、上記中間板１３と上記上野地板１１との間には、上記母屋３に対して直交する方向に上垂木部材１５が設けられており、上記中間板１３と上記下野地板１２との間には、上記上垂木部材１５と重なるように下垂木部材１６が設けられている。上垂木部材１５および上記下垂木部材１６は、例えば、角材からなり、横縁部と中央部に合計で３本設けられている。
【００２４】
また、上記屋根パネル１は、例えば、水勾配方向に離間する２か所の母屋３によって支持される構成としており、下側の横縁の２か所に設けた係止具１４を下側の母屋３に係止させている。上記係止具１４は、例えば、上記下垂木部材１６の側面にビス等により固定されている。
【００２５】
そして、上記屋根パネル１は、上側の母屋３の上方に上記屋根パネル１の上記張出部１２Ａを位置させるように設けられる。上記張出部１２Ａは、当該屋根パネル１を母屋３に固定するための締結部材が打たれる締結領域となる。
【００２６】
上記の上側の母屋３は、例えば、リップ溝形鋼からなからなり、この母屋３のリップ部を利用して取付金物（取付部材）３１が係止される。この取付金物３１は、図３にも示すように、上記母屋３のリップ部に係止される係止部３１ａと、上記母屋３の延設方向に長い横桟３２を下側から支持する支持面部３１ｂと、上記係止部３１ａと支持面部３１ｂとを繋ぐ繋ぎ部３１ｃとを備える。また、この取付金物３１は、例えば、バネ鋼からなり、上記係止部３１ａを撓ませて上記母屋３のリップ部に係止させることができる。
【００２７】
上記支持面部３１ｂには、例えば、ビス挿通孔が６か所形成されており、このビス挿通孔に挿通されたビス３３によって上記横桟３２が取付金物３１に固定される。そして、上記横桟３２の上面に上記下野地板１２が載せられた状態で、ビス(締結部材)３４が上から上記下野地板１２に打ち込まれ、当該屋根パネル１が上記横桟３２および上記取付金物３１を介して上記母屋３に固定されている。
【００２８】
また、屋根上で横に隣り合って配置される２枚の屋根パネル１においては、当該屋根パネル１の一方の横側にはみ出している下野地板１２の部分の上に、その隣の屋根パネル１の他方の横側の上野地板１１および中間板１３が重なるようになっている。さらに、この実施形態では、上記の重なり箇所において、上記通気層１０１および上記断熱層１０２も重なるようになっている。
【００２９】
上記の構成であれば、上記下野地板１２における上記張出部１２Ａにおいて、上方から、ビス３４を打ち込むことが可能となる。このように、上記ビス３４を上記下野地板１２に上側から打ち込むことができるので、当該屋根パネル１を屋根に効率的に取り付けることが可能になる。
【００３０】
上記上野地板１１の下側に軒先側から棟側に通じる通気層１０１が形成される構造であると、上記上野地板１１の側の熱が上記通気層１０１を気流に乗って棟側へと排熱されることになる。また、上記通気層１０１の下側に断熱層１０２が形成される構造であると、上記断熱層１０２によって熱が小屋裏側へと伝わるのを抑制することができる。すなわち、屋根を屋根パネル構成としつつ省エネルギー化も図ることができる。
【００３１】
上記上野地板１１と上記下野地板１２との間に、上記通気層１０１と上記断熱層１０２を仕切る中間板１３が設けられていると、上記仕切りが的確に行われるとともに、屋根パネル１の強度を高めることができる。
【００３２】
また、上記中間板１３と上記上野地板１１との間に上垂木部材１５が設けられ、上記中間板１３と上記下野地板１２との間に上記上垂木部材１５と重なるように下垂木部材１６が設けられていると、当該屋根パネル１の強度をさらに高めることが可能になる。
【００３３】
図４は、この実施形態の屋根構造における軒先側を例示した説明図である。この例では、下側の母屋３は、溝形鋼ではなく、略Ｚ字形状に鋼材を設けて成る。また、外壁パネル６に形成されている通気層６ａの上端の上方に、上記屋根パネル１の通気層１０１の軒先側が位置している。また、上記軒先水切り２３の下側の空間も上記通気層１０１に通じるようになっている。
【００３４】
図５は、この実施形態の屋根構造における片棟タイプの棟側を例示した説明図である。なお、屋根パネル１は軒先から棟までの長さを有する１枚ものを配置するようにしてもよいし、その半分程度の長さとし、軒先側から棟側にかけて２枚の屋根パネル１を配置するようにしてもよいものである。図５に示す屋根パネル１においても、上記下野地板１２における張出部１２Ａにおいて、上方から、ビス３４を打ち込むことが可能となる。ここで、このように、上方からビス３４を打ち込むために、この屋根パネル１の張出部１２Ａ上においては、破線で示しているように、上端側部分を屋根の施工現場で組み付けている。そして、このように上端側部分を組み付けた後に、屋根材２２等を配置して換気部２６を取り付けている。
【００３５】
なお、図２に示した屋根パネル１を下側のパネルとし、上側に別の屋根パネル１を配置する場合は、この上側となる別の屋根パネル１の下端部に断熱層を設けておいて、この断熱層が下側となる屋根パネル１における張出部１２Ａ上に重なるようにすることができる。
【００３６】
図６は、この実施形態の屋根構造における寄棟タイプの棟側を例示した説明図である。この図６に示す屋根パネル１においても、上記下野地板１２における張出部１２Ａにおいて、上方から、ビス３４を打ち込むことが可能となる。ここでも、このように、上方からビス３４を打ち込むために、屋根パネル１の張出部１２Ａ上では、破線で示しているように、上端側部分を、屋根の施工現場で組み付けるようにしている。そして、このように上端側部分を組み付けた後に、換気部２６等を取り付けている。
【００３７】
図７は、この実施形態における屋根構造の寄棟タイプの棟側を例示した説明図である。この図７に示す屋根パネル１の上端箇所においては、上記下野地板１２における張出部１２Ａは形成されていない。したがって、屋根の上方から、ビス３４を打ち込むことができない。ここで、このような場合においても、上記取付金物３１を用いるが、その支持面部３１ｂによって横桟３２を支持するのではなく、当該支持面部３１ｂを上側に位置させて当該取付金物３１を母屋３に取り付ける。そして、上記支持面部３１ｂに形成されているビス挿通孔に、締結部材であるビス３４を、小屋裏側から挿通し、上記下野地板１２に打ち込む。
【００３８】
図８（Ａ）、図８（Ｂ）および図８（Ｃ）は、上記図７の仕様での上記取付金物３１の用い方を示している。繰り返しになるが、これらの図からも分かるように、屋根の上方からビス３４を打ち込むことができない場合は、上記横桟３２を用いずに、上記取付金物３１を逆使いし、小屋裏側から支持面部３１ｂに対してビス３４を打ち込んで、上記屋根パネル１を母屋３に固定する。このように、小屋裏側から固定する場合に、同じ取付金物３１を用いることで、コスト低減が図れる。片棟タイプ等でも同様の構成とすることができる。
【００３９】
なお、上記の例では、上記上垂木部材１５と重なるように下垂木部材１６が設けられた構造を例示したが、これに限らない。例えば、上記下垂木部材１６を設けずに、上記断熱層１０２として、硬質の断熱材層を用い、この硬質の断熱材層上に直接或いは、断熱材層に差し込んだ支持部材を介して垂木部材を設けるようにしてもよいものである。また、上記の例では、屋根パネル１は、通気層１０１と断熱層１０２の両方を備えたが、いずれか一方のみを備える構造とすることもできる。
【００４０】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【符号の説明】
【００４１】
１      ：屋根パネル
３      ：母屋
６      ：外壁パネル
１１    ：上野地板
１２    ：下野地板
１３    ：中間板
１４    ：係止具
１５    ：上垂木部材
１６    ：下垂木部材
２２    ：屋根材
２３    ：軒先水切り
２６    ：換気部
３１    ：取付金物
３１ａ  ：係止部
３１ｂ  ：支持面部
３１ｃ  ：繋ぎ部
３２    ：横桟
３３    ：ビス
３４    ：ビス（締結部材）
１０１  ：通気層
１０２  ：断熱層
【図１】
2018091103.tif 000003
【図２】
2018091103.tif 000004
【図３】
2018091103.tif 000005
【図４】
2018091103.tif 000006
【図５】
2018091103.tif 000007
【図６】
2018091103.tif 000008
【図７】
2018091103.tif 000009
【図８】
2018091103.tif 000010
【図９】
2018091103.tif 000011